(57)【要約】【課題】立体映像を視聴するために出力される左目用画像信号と右目用画像信号との切り替えに同期する同期信号が、他の装置から送信される所定信号と混信することを防止することができる立体映像表示装置、立体映像表示システム及びテレビジョン受信機を提供する。【解決手段】左目用画像信号及び右目用画像信号の切り替えに同期する同期信号を生成する手段２２と、前記同期信号を第１波長範囲の電磁波により出力する出力手段２１と、前記第１波長範囲と一部が重複する第２波長範囲の電磁波を受信する受信手段１１とを備える立体映像表示装置において、受信した第２波長範囲の電磁波に所定信号及び前記同期信号が含まれているか否かを判定する判定手段３２を備え、出力手段２１は、判定手段３２がともに含まれていると判定した場合に、前記同期信号の出力を所定時間停止するようにしてある。【選択図】図２
2013225767.tif 000002
【特許請求の範囲】
【請求項１】
左目用画像信号及び右目用画像信号を切り替えて立体映像を表示する際に、該左目用画像信号及び右目用画像信号の切り替えに同期する同期信号を生成する手段と、
前記同期信号を第１波長範囲の電磁波により出力する出力手段と、
前記第１波長範囲と一部が重複する第２波長範囲の電磁波を受信する受信手段と
を備える立体映像表示装置において、
受信した第２波長範囲の電磁波に所定信号及び前記同期信号が含まれているか否かを判定する判定手段を備え、
前記出力手段は、前記判定手段がともに含まれていると判定した場合に、前記同期信号の出力を所定時間停止するようにしてある
ことを特徴とする立体映像表示装置。
【請求項２】
受信した電磁波に前記所定信号が含まれ、同期信号が含まれないと前記判定手段が判定した場合、該電磁波から前記所定信号を抽出する抽出手段を備える
ことを特徴とする請求項１に記載の立体映像表示装置。
【請求項３】
請求項１又は２に記載の立体映像表示装置と、
２つのシャッタ及び発振回路を有し、前記第１波長範囲の電磁波を受信し、受信した電磁波から前記同期信号を抽出し、抽出した同期信号及び前記発振回路が発振するクロックにより前記切り替えに同期して前記２つのシャッタを交互に開閉し、前記電磁波の受信が中断した場合、前記クロックに基づいて、前記２つのシャッタを交互に開閉する立体眼鏡と
を備えることを特徴とする立体映像表示システム。
【請求項４】
請求項１又は２に記載の立体映像表示装置と、
テレビジョン放送を受信する受信部と
を備え、
前記立体映像表示装置は、前記受信部にて受信したテレビジョン放送に基づいて、映像を表示するようにしてある
ことを特徴とするテレビジョン受信機。
【発明の詳細な説明】
【技術分野】
【０００１】
本発明は、立体映像表示装置、立体映像表示システム及びテレビジョン受信機に関する。
【背景技術】
【０００２】
左目用画像と右目用画像とを交互に切り替えて表示する立体映像表示装置により立体映像を視聴するために、視聴者は左右の視野を交互に遮蔽する立体眼鏡を着用する。立体眼鏡の左右の視野における遮蔽の切り替えは、立体映像表示装置が表示する左目用画像と右目用画像との切り替えに同期しなくてはならない。そこで、この同期のために、立体映像表示装置は立体眼鏡に同期信号を送信する。立体眼鏡は、受信した同期信号に基づいて、視野の遮蔽を切り替える（例えば、特許文献１参照）。
【０００３】
ところで、立体映像表示装置から送信された立体眼鏡用の同期信号に係る赤外線が壁、家具、人物等に反射された場合、反射された立体眼鏡用の赤外線に係る同期信号と映像表示装置リモコンから送信された赤外線に係る操作信号とが混信することがある。かかる場合、混信した信号のフォーマットは映像表示装置操作信号のフォーマットとは異なるため、混信した信号を受信した立体映像装置はエラー信号の処理を実行することになる。そのため、視聴者は立体映像表示装置に所望の動作をさせることができなくなる。
そこで、特許文献１に記載の立体映像装置は、立体眼鏡用の同期信号及び映像表示装置操作信号を送信する赤外線の周波数又は出力レベルを異ならしめている。
【先行技術文献】
【特許文献】
【０００４】
【特許文献１】特開平８−３３６１６７号公報
【発明の概要】
【発明が解決しようとする課題】
【０００５】
しかしながら、立体眼鏡用の同期信号及び映像表示装置操作信号を夫々送信する赤外線の周波数は、一部が重複しており、これらの赤外線の周波数を異ならしめることはコスト等の理由から困難である。また、立体眼鏡用の同期信号又は映像表示装置操作信号に係る赤外線の出力レベルを小さくした場合、これらの信号の到達距離が短くなり、立体映像表示装置の操作性は低下する。
【０００６】
本発明は斯かる事情に鑑みてなされたものである。その目的は、立体映像を視聴するために出力される左目用画像信号と右目用画像信号との切り替えに同期する同期信号が、他の装置から送信される所定信号と混信することを防止することができる立体映像表示装置、立体映像表示システム及びテレビジョン受信機を提供することである。
【課題を解決するための手段】
【０００７】
本発明に係る立体映像表示装置は、左目用画像信号及び右目用画像信号を切り替えて立体映像を表示する際に、該左目用画像信号及び右目用画像信号の切り替えに同期する同期信号を生成する手段と、前記同期信号を第１波長範囲の電磁波により出力する出力手段と、前記第１波長範囲と一部が重複する第２波長範囲の電磁波を受信する受信手段とを備える立体映像表示装置において、受信した第２波長範囲の電磁波に所定信号及び前記同期信号が含まれているか否かを判定する判定手段を備え、前記出力手段は、前記判定手段がともに含まれていると判定した場合に、前記同期信号の出力を所定時間停止するようにしてあることを特徴とする。
【０００８】
本発明にあっては、立体映像を表示する際に出力手段が出力する同期信号が、受信手段が受信した電磁波に所定信号とともに含まれていると判定手段が判定した場合に、出力手段が同期信号の出力を所定時間停止する。
これにより、同期信号が、所定信号と同一の電磁波に含まれることを防ぐことができる。
【０００９】
本発明に係る立体映像表示装置は、受信した電磁波に前記所定信号が含まれ、同期信号が含まれないと前記判定手段が判定した場合、該電磁波から前記所定信号を抽出する抽出手段を備えることを特徴とする。
【００１０】
本発明にあっては、同期信号の出力を所定時間停止している間に受信した電磁波に、所定信号が含まれ、同期信号が含まれていない場合に、抽出手段が、受信した電磁波から所定信号を抽出する。
これにより、同期信号が含まれない電磁波から所定信号を抽出することができる。
【００１１】
本発明に係る立体映像表示システムは、上記に記載の立体映像表示装置と、２つのシャッタ及び発振回路を有し、前記第１波長範囲の電磁波を受信し、受信した電磁波から前記同期信号を抽出し、抽出した同期信号及び前記発振回路が発振するクロックにより前記切り替えに同期して前記２つのシャッタを交互に開閉し、前記電磁波の受信が中断した場合、前記クロックに基づいて、前記２つのシャッタを交互に開閉する立体眼鏡とを備えることを特徴とする。
【００１２】
本発明にあっては、立体眼鏡は、第１波長範囲の電磁波の受信が中断した場合に、発振回路が発振するクロックに基づいて、２つのシャッタを交互に開閉する。
これにより、立体映像表示装置が備える出力手段が同期信号の出力を所定時間停止しても、立体眼鏡が２つのシャッタの開閉動作を継続することにより、視者は引き続き立体画像を見ることができる。
【００１３】
本発明に係るテレビジョン受信機は、上記に記載の立体映像表示装置と、テレビジョン放送を受信する受信部とを備え、前記立体映像表示装置は、前記受信部にて受信したテレビジョン放送に基づいて、映像を表示するようにしてあることを特徴とする。
【００１４】
本発明にあっては、本発明の立体映像表示装置と同様の効果を奏する。
【発明の効果】
【００１５】
本発明によれば、立体映像を視聴するために出力される左目用画像信号と右目用画像信号との切り替えに同期する同期信号が、他の装置から送信される所定信号と混信することを防止することができる。
【図面の簡単な説明】
【００１６】
【図１】立体映像表示システムの概略図である。
【図２】立体映像表示装置が有する機能を示すブロック図である。
【図３】リモコンコード、同期信号並びにリモコンコード及び同期信号が混信した信号における各波形を示す説明図である。
【図４】同期信号及びリモコンデータの詳細波形を示す説明図である。
【図５】立体眼鏡が有する機能を示すブロック図である。
【図６】立体映像表示装置がリモコンコードを取得する処理の手順を示すフローチャートである。
【図７】ＩＲエミッタ出力部が出力する同期信号及びリモコン受光部が受光する受光データの波形を示す説明図である。
【図８】テレビジョン受信機の概略図である。
【発明を実施するための形態】
【００１７】
以下、本発明の実施の形態を図面に基づいて詳述する。
【００１８】
図１は、立体映像表示システムの概略図である。立体映像表示システムは、立体映像表示装置１、リモコン９及び立体眼鏡１０を含む。
立体映像表示装置１は、液晶ディスプレイ、プラズマディスプレイ、有機ＥＬ（Electro Luminescence）ディスプレイ、ＣＲＴ（Cathode Ray Tube）ディスプレイ等を有する表示装置である。立体映像表示装置１は、立体映像に係る左目用画像と右目用画像とを表側の画面にフレームシーケンシャルに表示する。立体映像表示装置１は、左目用画像と右目用画像との表示切り替えに同期した同期信号を生成し、生成した同期信号を例えば赤外線により外部へ送信する。
【００１９】
リモコン９は、立体映像表示装置１を操作するための操作信号を例えば赤外線により立体映像表示装置１へ送信する。立体映像表示装置１における表側の下部中央寄りには、リモコン９から送信された操作信号に係る赤外線を受光するリモコン受光部（受信手段）１１が設置されている。
【００２０】
立体眼鏡１０は、立体映像表示装置１から送信される同期信号を受信し、受信した同期信号に基づいて、左右の視野を開閉する。立体映像表示装置１における表側の下部左端には、立体眼鏡１０に同期信号を送信するＩＲエミッタ出力部（出力手段）２１が設置されている。
【００２１】
図２は、立体映像表示装置１が有する機能を示すブロック図である。立体映像表示装置１は、リモコン受光部１１、リモコンデータデコード部（抽出手段）１２、ＩＲエミッタ出力部２１、ＩＲエミッタ信号生成部（同期信号を生成する手段）２２、データ比較部３１、エラー検出部（判定手段）３２及びＩＲエミッタ信号生成タイミング制御部３３を含む。
【００２２】
リモコン受光部１１は、所定の波長範囲の赤外線を受光する。所定の波長範囲の赤外線は、例えば、リモコン９から送信される。リモコンデータデコード部１２は、リモコン受光部１１が受光した赤外線の波形を、予め保持しているリモコンコードの波形と比較することにより、赤外線に含まれているリモコンコードを取得（抽出）する。リモコンデータデコード部１２は、エラー検出部３２（後述）がエラーを示す信号を出力していない場合に、リモコンコードを取得する。
【００２３】
ＩＲエミッタ出力部２１は、赤外線により搬送される同期信号（ＩＲエミッタ信号）を外部へ出力する。同期信号は、立体映像に係る左目用画像と右目用画像との切り替え表示に同期している信号である。
【００２４】
同期信号を搬送する赤外線の波長範囲は、操作信号を搬送する赤外線の波長範囲と異なる。しかし、同期信号を搬送する赤外線の波長範囲の少なくとも一部は、操作信号を搬送する赤外線の波長範囲と重なっている。ＩＲエミッタ出力部２１が出力した同期信号に係る赤外線は、立体映像表示装置１の近くに位置する壁、テーブル、人物等により反射され、リモコン受光部１１に飛び込む場合がある。そのため、リモコン受光部１１が受光する赤外線には、操作信号に係る赤外線の他に、同期信号に係る赤外線が含まれることがある。
【００２５】
図３は、リモコンコード、同期信号並びにリモコンコード及び同期信号が混信した信号における各波形を示す説明図である。図３Ａは、リモコン９からの操作信号に係るリモコンコードを示す。図３Ｂは、同期信号を示す。図３Ｃは、操作信号に係る赤外線と同期信号に係る赤外線との両方がリモコン受光部１１により受光された場合の混信波形を示す。混信波形から、操作信号に係るリモコンコードを取得する場合、同期信号のパルスがエラーパルスとなり、立体映像表示装置１はリモコンコードを正しく取得することができない。
【００２６】
図４は、同期信号及びリモコンデータの詳細波形を示す説明図である。図４Ａは、Ｖ−Ｓｙｎｃ信号及び同期信号を示す説明図である。図４Ｂは、（１）リモコンデータ、（２）同期信号及び（３）リモコンデータ及び同期信号からなる混信信号を示す説明図である。
図４Ａにおいて、同期信号はＶ−Ｓｙｎｃ信号に同期している。同期信号は、立体映像を表示する際の、左目用画像信号と、右目用画像信号との切り替えに同期するように生成される信号である。同期信号の概要は、約８．３ｍｓの周期で繰り返されるパルスである。しかし、同期信号のパルスを拡大した場合、１つのパルスは複数のパルス群から構成されている。
【００２７】
図４Ｂの（１）リモコンデータには、最大約９ｍｓ幅から、最小約４００μｓ幅のパルスが含まれる。以下、約９ｍｓのパルスを「９ｍｓパルス」、約４００μｓのパルスを「４００μｓパルス」という。一方、図４Ｂの（２）同期信号のパルス群は、約４０μｓの複数パルスが所定の規則で配列したものである。以下、約４０μｓのパルスを「４０μｓパルス」という。図４Ｂの（３）混信信号では、リモコンデータがない部分に、同期信号の４０μｓパルスが含まれている。４０μｓパルスは、混信信号がリモコンコードにデコードされる場合、エラーと判定される。
【００２８】
図２に戻り、説明を続ける。データ比較部３１は、リモコン受光部１１が受光した赤外線の波形と、Ｖ−Ｓｙｎｃ信号及び操作信号に係るリモコンコードの波形とを比較する。例えば、所定の時間間隔でサンプリングした信号強度と、予め保持している波形からサンプリングされた値との排他的論理和を演算し、結果が０になるか否かを判定することにより一致度が得られる。但し、赤外線に同期信号と操作信号とが同時に含まれている場合、何れの信号も予め保持している波形との一致度が低くなるため、本実施の形態では、一致度に代えて、受光した赤外線に含まれているパルスのパルス幅により判定する。
【００２９】
データ比較部３１は、受光した赤外線に、Ｖ−Ｓｙｎｃ信号と周期的に同期する位置にパルスが含まれている場合、そのパルスが４０μｓパルスか否かを判定する。更に、データ比較部３１は、受光した赤外線に９ｍｓパルス又は４００μｓパルスが含まれているか否かを判定する。
【００３０】
データ比較部３１が、受光した赤外線について、Ｖ−Ｓｙｎｃ信号と周期的に同期する位置に４０μｓパルスがあり、かつ９ｍｓパルス又は４００μｓパルスが含まれていると判定した場合、エラー検出部３２は、エラーと判定する。エラー検出部３２は、エラーと判定した場合、エラー信号をＩＲエミッタ信号生成タイミング制御部３３及びリモコンデータデコード部１２に出力する。
【００３１】
ＩＲエミッタ信号生成タイミング制御部３３は、ＩＲエミッタ信号生成部２２を制御して同期信号を生成させる。ＩＲエミッタ信号生成部２２は、ＩＲエミッタ信号生成タイミング制御部３３の制御及びＶ−Ｓｙｎｃ信号に基づくタイミングにより、同期信号を生成する。ＩＲエミッタ信号生成部２２が生成した同期信号は、ＩＲエミッタ出力部２１から立体映像表示装置１の外部に出力される。
【００３２】
ＩＲエミッタ信号生成タイミング制御部３３は、エラー検出部３２からエラー信号を受信した場合、ＩＲエミッタ出力部２１に同期信号の出力を停止させる。
なお、ＩＲエミッタ信号生成タイミング制御部３３は、エラー検出部３２からエラー信号を受信した場合、ＩＲエミッタ信号生成部２２を制御し、同期信号の生成を所定時間停止させてもよい。
【００３３】
図５は、立体眼鏡１０が有する機能を示すブロック図である。立体眼鏡１０は、左目用シャッタ（シャッタ）１０１及び右目用シャッタ（シャッタ）１０２を含む。左目用シャッタ１０１及び右目用シャッタ１０２は、液晶シャッタである。立体眼鏡１０は、ＩＲエミッタ出力部２１が出力する同期信号を用いて、左目用画像と右目用画像との表示切り替えに同期して、左目用シャッタ１０１及び右目用シャッタ１０２を開閉する。
【００３４】
立体眼鏡１０は、受信部１０３、発振回路１０４、制御部１０５及びシャッタ駆動部１０６を含む。受信部１０３は、赤外線を受光する発光ダイオードを有し、ＩＲエミッタ出力部２１から出射された赤外線を電気信号に係る同期信号に変換する。受信部１０３は、変換した同期信号を制御部１０５に出力する。
【００３５】
発振回路１０４は、水晶振動子を有し、所定の周波数で基準クロックを発生する回路である。発振回路１０４は、生成した基準クロックを制御部１０５に出力する。
制御部１０５は、ＭＰＵ（Micro Processor Unit）等のプロセッサである。制御部１０５は、受信部１０３から同期信号を入力し、発振回路１０４から基準クロックを入力する。制御部１０５は、取得した同期信号及び基準クロックを用いて、左目用シャッタ１０１及び右目用シャッタ１０２を夫々制御するための制御信号を生成する。制御部１０５は、生成した制御信号をシャッタ駆動部１０６に出力する。
【００３６】
シャッタ駆動部１０６は、制御部１０５が出力した制御信号に基づいて、左目用シャッタ１０１及び右目用シャッタ１０２に交互に電圧を印加することにより、左目用シャッタ１０１及び右目用シャッタ１０２を交互に開閉する。立体映像表示装置１が例えば１２０ｆｐｓのフレームレートで、左目用画像及び右目用画像を夫々１／６０秒ずつ表示する場合、制御信号の周期、すなわち左目用シャッタ１０１及び右目用シャッタ１０２の開閉周期は、夫々３０Ｈｚとなる。なお、左目用シャッタ１０１及び右目用シャッタ１０２の開閉位相は１８０度ずれている。
【００３７】
制御部１０５は、受信部１０３から出力される同期信号が途絶えた場合、発振回路１０４から入力した基準クロックのみに基づいて、制御信号を生成する。これにより、立体眼鏡１０は、立体映像表示装置１が同期信号の出力を停止した場合でも、左目用シャッタ１０１及び右目用シャッタ１０２の開閉を継続（自走）することができる。
【００３８】
基準クロックのみに基づいて生成される制御信号は、時間が経過するにつれて、立体映像表示装置１が左目用画像及び右目用画像を切り替えて表示するタイミングと少しずつずれていく。しかし、受信部１０３から出力される同期信号の途絶えが例えば３秒程度である場合、立体映像の視聴に支障はない。制御部１０５は、受信部１０３から同期信号を再び入力した場合、入力した同期信号を用いて、制御信号のタイミングを立体映像表示装置１による左目用画像及び右目用画像の表示切り替えに一致するように調整する。
【００３９】
なお、立体映像表示装置１が同期信号の出力を停止した場合、制御部１０５は同期信号の出力が途絶える直前に入力した同期信号及び発振回路１０４から受け付ける基準クロックに基づいて、所定周期（例えば、３０Ｈｚ）の制御信号を生成してもよい。
【００４０】
図６は、立体映像表示装置１がリモコンコードを取得する処理の手順を示すフローチャートである。図６の処理は、図２に示した各部によって実行される。
【００４１】
立体映像表示装置１は、立体映像が表示されているか否かを判定する（ステップＳ１１）。この判定は、立体映像表示装置１が有する制御部等（図示せず）が、立体映像を表示する処理を実行しているか否かを示すレジスタの値等を参照して行われる。立体映像表示装置１は、立体映像が表示されていないと判定した場合（ステップＳ１１：ＮＯ）、ステップＳ１１に処理を戻す。
【００４２】
立体映像表示装置１により立体映像が表示されていると判定された場合（ステップＳ１１：ＹＥＳ）、ＩＲエミッタ信号生成部２２はＩＲエミッタ出力部２１から同期信号が出力されているか否かを判定する（ステップＳ１２）。この判定は、ＩＲエミッタ信号生成部２２が、同期信号の生成を行っている際に用いられるレジスタ等の値を参照して行われる。
【００４３】
ＩＲエミッタ信号生成部２２は、ＩＲエミッタ出力部２１から同期信号が出力されていないと判定した場合（ステップＳ１２：ＮＯ）、ＩＲエミッタ出力部２１に同期信号を通常出力させ（ステップＳ１３）、処理をステップ１２に戻す。ここで、同期信号の通常出力とは、出力を常時継続することである。
【００４４】
ＩＲエミッタ信号生成部２２によりＩＲエミッタ出力部２１から同期信号が出力されていると判定された場合（ステップＳ１２：ＹＥＳ）、エラー検出部３２はエラーか否かを判定する（ステップＳ１４）。エラー検出部３２は、データ比較部３１の比較結果に基づいて、受光した受光データに４０μｓパルスと、９ｍｓパルス又は４００μｓパルスとの両者が含まれている場合、エラーと判定する。かかる場合、リモコン９が操作されていることを意味する。
【００４５】
エラー検出部３２がエラーでないと判定した場合（ステップＳ１４：ＮＯ）、リモコンデータデコード部１２は、ステップＳ１５に処理を進める。リモコンデータデコード部１２は、リモコン受光部１１が受光した受光データにリモコンコードの波形が含まれる場合、リモコンコードを取得し（ステップＳ１５）、処理をステップＳ１３に進める。
【００４６】
エラー検出部３２がエラーであると判定した場合（ステップＳ１４：ＹＥＳ）、立体映像表示装置１は、同期信号の出力を停止する（ステップＳ１６）。ステップＳ１６において、立体映像表示装置１は、ＩＲエミッタ出力部２１に同期信号の出力を停止させる。あるいは、ＩＲエミッタ信号生成タイミング制御部３３がＩＲエミッタ信号生成部２２にＩＲエミッタ信号の生成を停止させてもよい。
【００４７】
データ比較部３１はリモコン受光部１１が受光した受光データに９ｍｓパルス又は４００μｓパルスが含まれているか否かを判定する（ステップＳ１７）。データ比較部３１は、リモコン受光部１１が受光した受光データに９ｍｓパルス又は４００μｓパルスが含まれていないと判定した場合（ステップＳ１７：ＮＯ）、ステップＳ１９に処理を進める。
【００４８】
データ比較部３１により９ｍｓパルス又は４００μｓパルスが含まれていると判定された場合（ステップＳ１７：ＹＥＳ）、リモコンデータデコード部１２は、受光データからリモコンコードを取得し（ステップＳ１８）、ステップＳ１９に処理を進める。ステップＳ１７及びステップＳ１８の過程において、同期信号の出力が停止されているので、受光データに９ｍｓパルス又は４００μｓパルスが含まれている場合、リモコンデータデコード部１２はリモコンコードを確実に取得することができる。
なお、リモコンデータデコード部１２は、ステップＳ１８の後、ステップＳ１３に処理を進めてもよい。
【００４９】
立体映像表示装置１は、１秒経過したか否かを判定する（ステップＳ１９）。立体映像表示装置１は、１秒経過していないと判定した場合（ステップＳ１９：ＮＯ）、ステップＳ１７に処理を戻す。ステップＳ１６からステップＳ１９までの過程において、同期信号の出力が停止されても、立体眼鏡１０は左目シャッタ１０１及び右目シャッタ１０２の開閉を自走しているので、視聴者は引き続き立体映像を見ることができる。
【００５０】
立体映像表示装置１は、１秒経過したと判定した場合（ステップＳ１９：ＹＥＳ）、同期信号の出力を開始する（ステップＳ２０）。エラー検出部３２は、エラーか否かを判定する（ステップＳ２１）。エラー検出部３２は、データ比較部３１の比較結果に基づいて、受光した受光データに４０μｓパルスと、９ｍｓパルス又は４００μｓパルスとの両者が含まれている場合、エラーと判定する。かかる場合、リモコン９が操作されていることを意味する。
【００５１】
エラー検出部３２は、エラーではないと判定した場合（ステップＳ２１：ＮＯ）、ステップＳ１３に処理を進める。
なお、エラー検出部３２がエラーでないと判定した場合（ステップＳ２１：ＮＯ）の過程において、ＩＲエミッタ出力部２１から同期信号が出力されているため、リモコン受光部１１に反射した赤外線が飛び込んでいる可能性と、飛び込んでいない可能性とがある。この時点で、データ比較部３１の比較結果から、９ｍｓパルス又は４００μｓパルスが認められ、かつ４０μｓパルスが認められない場合、リモコンデータデコード部１２は、ステップＳ１５と同様に、リモコンコードの取得を実行した後に、ステップＳ１３に処理を進めてもよい。
【００５２】
エラー検出部３２がエラーであると判定した場合（ステップＳ２１：ＹＥＳ）、立体映像表示装置１は同期信号を１０フィールド出力し（ステップＳ２２）、ステップＳ１６に処理を戻す。
【００５３】
ステップＳ１６において、立体映像表示装置１は、同期信号の出力を停止する。その後、立体映像表示装置１は、条件次第でステップＳ１６からステップＳ２２を経てステップＳ１６に戻るループ処理を実行する。このループ処理は、間欠的な１秒間の同期信号の出力停止及び１０フィールドの同期信号出力である。立体映像表示装置１は、エラーでないと判定した場合（ステップＳ２１：ＮＯ）、ループ処理を抜け出て、同期信号を常時出力する（ステップＳ１３）。
【００５４】
立体眼鏡１０は、立体映像表示装置１による左目用画像及び右目用画像の表示切替に対して約３秒ほどは同期がほとんどずれない自走モードを有している。そのため、同期信号が１秒ほど停止しても、立体映像の視聴に不都合は生じない。また、ステップＳ１６からステップＳ２２を経てステップＳ１６に戻るループ処理において、立体眼鏡１０は間欠的に１０フィールドの同期信号を受信する。そのため、立体眼鏡１０は、受信した１０フィールドの同期信号に基づいて、制御信号のタイミングを調整して自走することになるため、立体映像の視聴に悪影響を与えない。
【００５５】
図７は、ＩＲエミッタ出力部２１が出力する同期信号及びリモコン受光部１１が受光する受光データの波形を示す説明図である。同期信号の間隔は、約８．３ｍｓである。同期信号が出力されている期間Ｔ１において、受光データには、リモコンコードと同期信号とが重畳された波形が含まれている（ステップＳ１１からステップＳ１４）。
【００５６】
期間Ｔ２は、ＩＲエミッタ出力部２１が同期信号の出力を停止している期間である。期間Ｔ２は、約１秒間である。期間Ｔ２の受光データには、リモコンコードが含まれているが、同期信号は含まれていない。そこで、期間Ｔ２の受光データから、リモコンデータデコード部１２は正しいリモコンコードを取得することができる（ステップＳ１６からステップＳ１９）。
【００５７】
期間Ｔ３は、ＩＲエミッタ出力部２１が、同期信号を１０フィールド出力している（ステップＳ２０からステップＳ２２）。期間Ｔ３の受光データには同期信号が含まれているが、エラーではない場合がある（ステップＳ２１：ＮＯ）。そこで、期間Ｔ３の後の期間Ｔ４は、同期信号の出力を常時継続する（ステップＳ１３）。他方、期間Ｔ３の受光データに、同期信号及び操作信号が含まれている場合、エラーとなり（ステップＳ２１：ＹＥＳ）、立体映像表示装置１は期間Ｔ２の動作に戻る。
【００５８】
図８は、テレビジョン受信機４の概略図である。テレビジョン受信機４は、立体映像表示装置１の内部に、電源５１と、チューナ（受信部）５２とを備える。立体映像表示装置１は、液晶表示装置４０と、液晶表示装置４０を挟むようにして収容する表キャビネット４１及び裏キャビネット４２と、スタンド４３とを備える。
【００５９】
液晶表示装置４０は、全体として横長の直方体状をなし、縦置き状態で表キャビネット４１及び裏キャビネット４２に収容されている。液晶表示装置４０は、表示パネル（液晶パネル）（図示せず）及びバックライト装置（照明装置）（図示せず）を備え、枠状のベゼル（図示せず）により一体的に保持されている。
【００６０】
本実施の形態では、立体映像表装置１は、リモコン受光部１１が受光した赤外線の波形に含まれているパルスのパルス幅及びパルスの位置により、受光した赤外線に同期信号に係る赤外線が含まれているか否かを判定した。しかし、データ比較部３１は、リモコン受光部１１が受光した赤外線の波形と、予め保持された操作信号に係るリモコンコードの波形とを比較し、これらの波形の一致度を算出してもよい。データ比較部３１は、この比較処理を実行するに際し、Ｖ−Ｓｙｎｃ信号のタイミングを加味して、一致度を算出してもよい。データ比較部３１は、算出した一致度をエラー検出部３２に出力する。エラー検出部３２は、データ比較部３１から入力した一致度が所定値より小さい場合、エラーと判定するようにしてもよい。
【００６１】
立体映像表示装置１は、図６のステップＳ１６からステップＳ２２までのループ処理に類似の動作を初期から繰り返す形態であってもよい。例えば、立体映像表示装置１は、立体映像を表示する場合、ＩＲエミッタ出力部２１から同期信号を間欠的に出力する。立体映像表示装置１は、例えば０．２秒間隔で、同期信号の出力と停止とを繰り返す。他方、リモコン９は、操作信号を出力する場合、１回の操作により、操作信号を短くとも例えば０．４秒間繰り返し出力するものとする。立体映像表示装置１は、同期信号の出力を停止している期間だけ、受光データからリモコンコードを抽出する処理を実行する。これにより、立体映像表示装置１は、リモコンコードを確実に取得することができる。
【００６２】
立体映像表示装置１から出射された同期信号に係る赤外線が反射されて、リモコン受光部１１に飛び込む場合、赤外線を反射する物体には、テーブル、壁等のような固定物と、動いている生物、風にたなびくカーテン等のような動体とがある。赤外線を反射するものが固定物である場合、反射した赤外線はリモコン受光部１１に入射し続ける。かかる場合、立体映像表示装置１はリモコンコードの取得に失敗し続ける可能性がある。
そこで、例えば図６の処理手順におけるステップＳ２１：ＹＥＳで、エラーと判定される回数が連続して所定回数（例えば、１２０回）を越えた場合、立体眼鏡１０へ送信した同期信号に係る赤外線を立体映像表示装置１に反射する物体があることを示すメッセージを画面に表示してもよい。
【００６３】
立体映像表示装置１によれば、立体映像を視聴するために出力される左目用画像信号と右目用画像信号との切り替えに同期する同期信号が、他の装置から送信される所定信号と混信することを防止することができる。
エラー検出部３２が、パルスのタイミング及びパルス幅に基づいて、受光データにリモコンデータと同期信号のパルスとの両者が含まれると判定した場合、ＩＲエミッタ出力部２１は同期信号の出力を停止する。これにより、リモコンデータに係る操作信号と同期信号との混信がなくなり、立体映像表示装置１は正規の操作動作をすることが可能となる。
リモコン受光部１１に同期信号に係る赤外線の入光を遮断する仕切りを設ける、リモコン受光部１１の受光感度を上げる等の対策により、操作信号と同期信号との混信を回避することができる可能性があるが、これらの対策の効果は限定的であるとともに、コストの上昇を招来せしめる。他方、立体映像表示装置１によれば、簡易な構成により、確実に操作信号と同期信号との混信を阻止することができる。
【００６４】
以上、発明を実施するための形態について説明を行ったが、本発明は、この発明を実施するための形態で述べた実施形態に限定されるものではない。本発明の主旨をそこなわない範囲で変更することが可能である。
【符号の説明】
【００６５】
１      立体映像表示装置
４      テレビジョン受信機
９      リモコン
１０    立体眼鏡
１０１  左目シャッタ（シャッタ）
１０２  右目シャッタ（シャッタ）
１０４  発振回路
１１    リモコン受光部（受信手段）
１２    リモコンデータデコード部（抽出手段）
２１    ＩＲエミッタ出力部（出力手段）
２２    ＩＲエミッタ信号生成部（同期信号を生成する手段）
３１    データ比較部
３２    エラー検出部（判定手段）
３３    ＩＲエミッタ信号発生タイミング制御部
４０    液晶表示装置
４１    表キャビネット
４２    裏キャビネット
４３    スタンド
５１    電源
５２    チューナ（受信部）
【図１】
2013225767.tif 000003
【図２】
2013225767.tif 000004
【図３】
2013225767.tif 000005
【図４】
2013225767.tif 000006
【図５】
2013225767.tif 000007
【図６】
2013225767.tif 000008
【図７】
2013225767.tif 000009
【図８】
2013225767.tif 000010